(57)【要約】【課題】画像を形成した媒体による演出の自由度を向上できる画像形成システム、画像データ処理装置、画像データ処理方法、及びプログラムを提供する。【解決手段】可撓性及び透光性を有するシート状の媒体に形成する画像に係る画像データを生成する画像データ処理装置を含む。この画像データ処理装置は、可撓性及び透光性を有するシート状の媒体の一方面側から視認される画像を表す第１の画像データと、媒体の他方面側から視認される画像を表す第２の画像データとの入力を受け入れる受入手段と、第１の画像データと第２の画像データとを媒体上に形成した際に、少なくとも第１の画像データと第２の画像データとのいずれかが有意画素である画素に対応する位置の画素を有意画素に設定したマスク画像データを生成する手段と、第１、第２の画像データと、マスク画像データとをそれぞれ出力する手段と、を有する。【選択図】図１
2018029284.tif 000002
【特許請求の範囲】
【請求項１】
可撓性及び透光性を有するシート状の媒体に画像を形成する画像形成システムであって、
画像データ処理装置と、印刷装置とを含み、
前記画像データ処理装置は、
前記媒体の一方面側から視認される画像を表す第１の画像データと、前記媒体の他方面側から視認される画像を表す第２の画像データとの入力を受け入れる受入手段と、
前記第１の画像データと第２の画像データとを前記媒体上に形成した際に、少なくとも前記第１の画像データと第２の画像データとのいずれかが有意画素である画素に対応する位置の画素を有意画素に設定したマスク画像データを生成する手段と、
前記第１、第２の画像データと、前記マスク画像データとをそれぞれ出力する手段と、
を有し、
前記印刷装置は、
可撓性及び透光性を有するシート状の媒体の前記他方面側に、前記第１の画像データが表す画像と、マスク画像データが表す画像と、第２の画像データが表す画像とをこの順に積層して形成する画像形成システム。
【請求項２】
可撓性及び透光性を有するシート状の媒体に形成する画像に係る画像データを生成する画像データ処理装置であって、
前記媒体の一方面側から視認される画像を表す第１の画像データと、前記媒体の他方面側から視認される画像を表す第２の画像データとの入力を受け入れる受入手段と、
前記第１の画像データと第２の画像データとを前記媒体上に形成した際に、少なくとも前記第１の画像データと第２の画像データとのいずれかが有意画素である画素に対応する位置の画素を有意画素に設定したマスク画像データを生成する手段と、
前記第１、第２の画像データと、前記マスク画像データとをそれぞれ出力する手段と、
を有する画像データ処理装置。
【請求項３】
請求項２記載の画像データ処理装置であって、
前記マスク画像生成手段は、前記位置合わせした第１の画像データ上の対応する画素または、前記第２の画像データ上の対応する画素のいずれかが有意画素である画素を有意画素に設定するとともに、当該有意画素に設定した画素に隣接する所定数の画素を有意画素に設定する画像データ処理装置。
【請求項４】
請求項２または３記載の画像データ処理装置であって、
前記出力手段が、前記マスク画像データを、遮光性を有する色で形成されるべき版として出力する画像データ処理装置。
【請求項５】
可撓性及び透光性を有するシート状の媒体に形成する画像に係る画像データを生成する画像データ処理方法であって、
前記媒体の一方面側から視認される画像を表す第１の画像データと、前記媒体の他方面側から視認される画像を表す第２の画像データとを用い、
前記第１の画像データと第２の画像データとを前記媒体上に形成した際に、少なくとも前記第１の画像データと第２の画像データとのいずれかが有意画素である画素に対応する位置の画素を有意画素に設定したマスク画像データを生成する工程と、
前記第１、第２の画像データと、前記マスク画像データとをそれぞれ出力する工程と、
を有する画像データ処理方法。
【請求項６】
コンピュータに、可撓性及び透光性を有するシート状の媒体に形成する画像に係る画像データを生成させるプログラムであって、
前記媒体の一方面側から視認される画像を表す第１の画像データと、前記媒体の他方面側から視認される画像を表す第２の画像データとの入力を受け入れる手段、
前記第１の画像データと第２の画像データとを前記媒体上に形成した際に、少なくとも前記第１の画像データと第２の画像データとのいずれかが有意画素である画素に対応する位置の画素を有意画素に設定したマスク画像データを生成する手段、及び、
前記第１、第２の割付画像と、前記マスク画像データとをそれぞれ出力する出力手段として、コンピュータを機能させるプログラム。
【発明の詳細な説明】
【技術分野】
【０００１】
本発明は、可撓性及び透光性を有するシート状の媒体に形成する画像を処理する画像形成システム、画像データ処理装置、画像データ処理方法、及びプログラムに関する。
【背景技術】
【０００２】
従来から、屋内外広告等に使用されるのぼりや横断幕、タペストリー等（以下、のぼり等という）が知られている。これらのぼり等は、屋外で風を受けたときに、その風の力を受流すことができるよう、可撓性の高い布製の基材に広告等の画像を印刷してつくられているのが一般的である。また、のぼり等は通常、表裏の双方から印刷された画像が視認されるよう、比較的透光性の高い基材が用いて製造される。そのため、裏写りの画像にムラなどがでないよう印刷する技術が求められていた。
【先行技術文献】
【特許文献】
【０００３】
【特許文献１】実用新案登録第３１２０３１２号公報
【発明の概要】
【発明が解決しようとする課題】
【０００４】
しかしながら、上記従来ののぼり等では、基材が布地であるために演出の自由度が限られていた。例えば広告の文字の背景に、実際の青空を用いるといった演出はできなかった。
【０００５】
本発明は上記実情に鑑みて為されたもので、画像を形成した媒体による演出の自由度を向上できる画像形成システム、画像データ処理装置、画像データ処理方法、及びプログラムを提供することを、その目的の一つとする。
【課題を解決するための手段】
【０００６】
上記従来例の問題点を解決するための本発明は、可撓性及び透光性を有するシート状の媒体に形成する画像に係る画像データを生成する画像データ処理装置を含む。この画像データ処理装置は、可撓性及び透光性を有するシート状の媒体の一方面側から視認される画像を表す第１の画像データと、前記媒体の他方面側から視認される画像を表す第２の画像データとの入力を受け入れる受入手段と、前記第１の画像データと第２の画像データとを前記媒体上に形成した際に、少なくとも前記第１の画像データと第２の画像データとのいずれかが有意画素である画素に対応する位置の画素を有意画素に設定したマスク画像データを生成する手段と、前記第１、第２の画像データと、前記マスク画像データとをそれぞれ出力する手段と、を有する。
【発明の効果】
【０００７】
本発明によると、画像を形成した媒体による演出の自由度を向上できる。
【図面の簡単な説明】
【０００８】
【図１】本発明の実施形態に係る印刷物の概要例を模式的に表す説明図である。
【図２】本発明の実施形態に係る印刷物に形成される画像の例を表す説明図である。
【図３】本発明の実施形態に係る印刷物に形成されるマスク画像の例を表す説明図である。
【図４】本発明の実施形態に係る印刷物を生成する画像形成システムの例を表す構成ブロック図である。
【図５】本発明の実施形態に係る印刷物の印刷時のレイアウト例を表す説明図である。
【図６】本発明の実施形態に係る印刷物を生成する画像データ処理装置の例を表す機能ブロック図である。
【図７】本発明の実施形態に係る印刷物を生成する画像データ処理装置によるマスク画像の生成動作の例を表す説明図である。
【図８】本発明の実施形態に係る印刷物に形成されるマスク画像の別の例を表す説明図である。
【発明を実施するための形態】
【０００９】
本発明の実施の形態について図面を参照しながら説明する。本発明の実施の形態に係る画像形成システムにより製造される印刷物は、図１に例示するように、ポリプロピレン等、可撓性及び透光性を有するシート状の媒体１に画像が形成された状態にあるものである。
【００１０】
具体的に、この印刷物は、図１に概念的に例示したように、媒体１の一方の面上に、他方の面側から視認されるべき第１の画像が形成された状態にある第１形成層１００と、遮光性を有するマスク画像が形成された状態にあるマスク形成層２００と、媒体１の一方の面側から視認されるべき第２の画像が形成された状態にある第２形成層３００とをこの順に積層した状態にあるものである。
【００１１】
ここで第１，第２の画像は、例えば米国アドビ社のイラストレータ（登録商標）形式のファイルなど、いわゆるベクタ形式の画像データに基づいて形成される。第１，第２の画像データはそれぞれ図２（ａ）に例示するように、同じ画像を表す画像データであってもよいし、図２（ｂ）に例示するように、いずれか一方を鏡像に反転したものであってもよい。さらに図２（ｃ）の例のように、第１，第２の画像データはまったく異なるもの（対称の関係でもないもの）であってもよい。図２（ａ）の例では、裏面（他方の面側）から見た画像は、通常ののぼり等と同じように鏡像反転したものとなる。また図２（ｂ），（ｃ）の例では、裏面（他方の面側）から見た画像と、表面（一方の面側）から見た画像とがいずれも正像となる。
【００１２】
またマスク画像は、第１，第２の画像データをそれぞれ形成する際の位置に合わせたうえで、各画像データを二値化して有意部分の論理和を演算したものであり、第１の画像データと第２の画像データとを対象媒体上に形成するためにラスタライズ（ビットマップ画像へ変換）した際に、少なくとも第１の画像データと第２の画像データとのいずれかが有意画素である画素に対応する位置の画素が有意画素に設定された状態となるものである。ここで有意部分あるいは有意画素とは、明度が所定しきい値を下回る部分、または明度が所定しきい値を下回る画素値となっている画素をいう。
【００１３】
具体的に図２（ａ）の例に対応するマスク画像は、第１，第２の画像を同じ位置に形成する場合には、図３（ａ）に例示するように、第１，第２の画像と同じ画像を二値化し、その有意である部分を遮光するような画像となる。また図２（ｂ）の例に対応するマスク画像は、図３（ｂ）に例示するように、互いに鏡像の関係にある第１，第２の画像のうち、いずれかの明度が所定しきい値を下回る部分を遮光するような画像である。図２（ｃ）の例に対応するマスク画像も、図２（ａ）の例と同様、第１，第２の画像と同じ画像を二値化し、その有意である部分を遮光するような画像となる（図３（ｃ））。
【００１４】
一般に、透光性のある媒体に単に画像を形成した場合、当該画像は背面からの光透過により色彩感の低下を招き、視認性が低いものとなる。本実施の形態では、第１，第２の画像の背面に遮光性のあるマスク画像を配したことで、透過部と、画像部（認識の対象となるべき部分）とが区別され、透過した背景に対して第１，第２の画像が浮き上がるような効果を得たものである。
【００１５】
本発明の実施の形態に係る画像形成システムは、図４に例示するように、画像データ処理装置１０と、印刷装置としてのプリンタ２０とを含んで構成される。また画像データ処理装置１０は、制御部１１と、記憶部１２と、操作部１３と、表示部１４と、インタフェース部１５とを含んで構成される。
【００１６】
ここで制御部１１は、ＣＰＵ等のプログラム制御デバイスであり、記憶部１２に格納されたプログラムに従って動作する。本実施の形態で、この制御部１１は、対象媒体の一方面側から視認される画像を表す第１の画像データと、他方面側から視認される画像を表す第２の画像データとの入力を受け入れる。これらの画像データは、図２（ａ），（ｂ），（ｃ）に例示したようなものであり、例えば米国アドビ社のイラストレータ（登録商標）形式のファイルなど、いわゆるベクタ形式の画像データでよい。
【００１７】
制御部１１は、第１の画像データと第２の画像データとを対象媒体上に形成するためにラスタライズ（ビットマップ画像へ変換）した際に、少なくとも第１の画像データと第２の画像データとのいずれかが有意画素である画素に対応する位置の画素を有意画素に設定された状態となるマスク画像データを生成する。そして制御部１１は、第１、第２の画像データと、マスク画像データとをそれぞれ出力する。この制御部１１の動作については後に詳しく述べる。
【００１８】
記憶部１２は、メモリデバイス等であり、制御部１１により実行されるプログラムを保持する。またこの記憶部１２は制御部１１のワークメモリとしても動作する。操作部１３は、マウスやキーボード等であり、利用者の指示操作の入力を受け入れて、制御部１１に当該指示操作の内容を表す情報を出力する。表示部１４は、ディスプレイ等であり、制御部１１から入力される指示に従って情報を表示する。
【００１９】
インタフェース部１５は、ネットワークインタフェースや、ＵＳＢ（Universal Serial Bus）インタフェースを含んで構成される。このインタフェース部１５は、ネットワークを介して接続された他のコンピュータ、またはＵＳＢインタフェースを介して接続されたＤＶＤドライブ等から、第１の画像データや第２の画像データ等、種々のデータの入力を受けて制御部１１に出力する。またこのインタフェース部１５は、制御部１１から入力される指示に従い、画像データやマスク画像データ等、種々のデータをプリンタ２０等、外部の装置に出力する。
【００２０】
プリンタ２０は、ポリプロピレン等、可撓性及び透光性のある媒体上に画像を形成する。本実施の形態ではプリンタ２０は、媒体の一方側の面に、第１の画像データが表す画像と、マスク画像データが表す画像と、第２の画像データが表す画像とをこの順に積層する。本実施の形態においてプリンタ２０は、図５に示すように、最終製造物であるのぼり等のサイズＳよりもやや大きいサイズＡの媒体に対して画像を形成し、最終生成物であるのぼり等のサイズＳに断ち切る。また、こののぼり等のサイズＳに内包される所定サイズのデザイン可能領域Ｄ内に第１，第２の画像データがあらわす画像を形成するのが一般的である。
【００２１】
次に、制御部１１の動作について説明する。本実施の形態の制御部１１は、記憶部１２に格納されたプログラムを実行することにより、機能的には図６に例示するように、データ受入部３１と、画像配置部３２と、マスク画像生成部３３と、出力部３４とを含んで構成されている。
【００２２】
データ受入部３１は、対象媒体の一方面側から視認される画像を表す第１の画像データと、対象媒体の他方面側から視認される画像を表す第２の画像データとの入力を受け入れて、マスク画像生成部３３に出力する。
【００２３】
画像配置部３２は、対象媒体上の印刷範囲内において第１の画像データ及び第２の画像データを配置する位置をそれぞれ設定する。具体的に、図５に例示したように、対象媒体上にデザイン可能領域Ｄが設定される場合、画像配置部はこのデザイン可能領域Ｄ内に第１の画像データと第２の画像データとをそれぞれ配置する範囲を設定する。つまり、第１の画像データの表す画像の外接矩形と、第２の画像データの表す画像の外接矩形とがいずれもデザイン可能領域に内包されるよう、第１，第２の画像データのそれぞれの配置位置を決定する。この処理は、画像データのレイアウトの処理として広く知られた処理であるので、ここでの詳しい説明を省略する。
【００２４】
マスク画像生成部３３は、対象媒体上で、画像配置部３２が決定した位置に、第１の画像データと第２の画像データとを形成した際に、少なくとも第１の画像データと第２の画像データとのいずれかが有意画素である画素に対応する位置の画素を有意画素に設定したマスク画像データを生成する。具体的に、このマスク画像生成部３３は、次のようにして生成する。
【００２５】
マスク画像生成部３３は、第１の画像データと第２の画像データとの入力を受けて、これらの画像データを記憶部１２に格納する。またマスク画像生成部３３は、対象媒体のサイズＳに対応する画像データを初期化する。そしてマスク画像生成部３３は、第１の画像データを二値化した画像データ（第１の二値化データ）を生成する。具体的には第１の画像データと同じ大きさの画像データであって、この画像データに含まれる各画素について、対応する第１の画像データ中の画素の値が表す明度が、所定の明るさを下回る画素を「１」、そうでない画素を「０」と設定した画像データを生成する。また、マスク画像生成部３３は、第２の画像データについても、これを二値化した画像データ（第２の二値化データ）を生成する。
【００２６】
マスク画像生成部３３は、図７に例示するように、先に初期化した画像データ上で、画像配置部３２が第１の画像データを配置するとして決定した位置に、第１の二値化データを配置する（Ｓ１１）。また、マスク画像生成部３３は、画像配置部３２が第２の画像データを配置するとして決定した位置に、第２の二値化データを配置する（Ｓ１２）。
【００２７】
マスク画像生成部３３は、上記初期化した画像データ中の画素のうち、第１の二値化データの対応する画素と第２の二値化データの対応する画素とのいずれかが「１」である（有意である）画素を、「１」とする。つまりマスク画像生成部３３は、第１の二値化データと第２の二値化データとの論理和演算結果である二値化データ（合成二値化データ：図７のＢ）を生成する（Ｓ１３）。マスク画像生成部３３は、こうして生成した合成二値化データを、マスク画像データとして出力部３４に出力する。つまりマスク画像生成部３３は、第１、第２の画像データの形成時の相対的な位置を合わせた後の、対応する二値化データが有意である画素に対応する画素を有意画素としたマスク画像データを生成して出力する。
【００２８】
出力部３４は、第１の画像データと、第２の画像データと、これら第１，第２の画像データの配置位置を表す情報と、マスク画像データとを出力する。
【００２９】
［動作］
この画像形成システムは以上の構成を備えており、次のように動作する。一例として画像データ処理装置１０が、図２（ｂ）に例示したような、互いに鏡像対象の第１，第２の画像データを受け入れると、これらの画像データを記憶部１２に格納する。また画像データ処理装置１０は、例えば表示部１４に対象媒体の外形を表す画像を表示し、第１，第２の画像データのそれぞれの配置位置を利用者に指定させる。
【００３０】
利用者が、表示部１４に表示された対象媒体に対応する画像上で、第１，第２の画像データのそれぞれの配置位置を指定すると、画像データ処理装置１０は、当該指定を受け入れて、マスク画像データの生成処理を開始する。
【００３１】
画像データ処理装置１０は、まず対象媒体のサイズＳに対応する画像データ（マスク画像データと呼ぶ）を初期化（すべての画素を「０」（有意でない）と設定）し、第１の画像データを二値化した画像データ（第１の二値化データ）と、第２の画像データを二値化した画像データ（第２の二値化データ）とを生成する。
【００３２】
画像データ処理装置１０は、マスク画像データ上で、第１の画像データを配置する位置として指定された配置位置に対応する位置に第１の二値化データを配して、第１の二値化データにおいて有意となっている画素に対応する、マスク画像データ上の画素を「１」（有意画素）に設定する。また、第２の画像データを配置する位置として指定された配置位置に対応するマスク画像データ上の位置に第２の二値化データを配して、第２の二値化データにおいて有意となっている画素に対応する、マスク画像データ上の画素を「１」（有意画素）に設定する。これにより、第１の二値化データまたは第２の二値化データのいずれかが有意である画素に対応する、マスク画像データの画素を有意画素に設定したこととなる。画像データ処理装置１０は、このマスク画像データを、第１，第２の画像データとともに出力する。
【００３３】
本実施の形態の一例では、画像データ処理装置１０は、マスク画像データを、遮光性を有する色で形成されるべき版として出力する。この版は例えば白色、グレイ等の無彩色で形成されるべき版としてもよいし、有彩色であっても第１、第２の画像データにおいて用いられていない色の版や特色版であってもよい。また画像データ処理装置１０は、第１の画像データの版と第２の画像データの版との間に、マスク画像データの版を挟んで形成する指示を含めて、プリンタ２０にこれらのデータを出力することとしてもよい。
【００３４】
プリンタ２０では、可撓性及び透光性を有するシート状の媒体１の一方の面上であって、指定された位置に、まず他方の面側から視認されるべき第１の画像データの版に基づく第１の画像を形成し、第１形成層１００を形成する。この際、画像は複数の色版を用いて形成されるものであってもよい。
【００３５】
次にプリンタ２０は、マスク画像データを用いて、シート状の媒体１上の指定された位置に、遮光性を有する例えば白色のマスク画像を形成し、マスク形成層２００を第１形成層１００に積層して形成する。本実施の形態のこの例では、このマスク画像は、第１の画像を隠ぺいする。
【００３６】
さらにプリンタ２０は、第２の画像データの版に基づく第２の画像を、シート状の媒体１上の指定された位置に形成し、第２形成層３００をマスク形成層２００に積層して形成する。これにより、本実施の形態の印刷物が得られることとなる。
【００３７】
［マスク画像の他の例］
また、ここまでの説明ではマスク画像は、第１，第２の画像と同じ画像を二値化して位置合わせし、いずれかの画像が有意である部分を遮光するような画像となるものとして説明したが、当該有意である部分を遮光でき、かつ、媒体１上に一部でも透過性を有する部分を残せるものであれば、マスク画像は、上記第１または第２の画像の有意な部分を含み、当該第１または第２の画像の有意な部分以外の部分を含んでもよい。
【００３８】
例えば、マスク画像生成部３３は、図８に例示するように、第１または第２の画像の有意な部分に対応する画素を有意画素とした基本マスク画像データを生成した後、当該基本マスク画像データの有意画素を、外側へ所定量だけ拡幅した範囲まで有意画素として（いわゆる太らせ処理して）、マスク画像データを生成してもよい。図８には、図３（ｃ）のマスク画像を基本マスク画像データが表す画像として、これを太らせ処理して得たマスク画像の例を示す。また、マスク画像生成部３３は、マスク画像データとして、第１または第２の画像の有意な部分に外接する矩形状部分を有意画素とした画像データ、ないし当該矩形状の有意画素部分を外側へ所定量だけ拡幅した範囲を有意画素とした画像データとしてもよい。
【００３９】
［多値のマスク画像］
さらにここまでの説明で、マスク画像は、二値の画像であるものとしたが、本実施の形態はこれに限られない。マスク画像は遮光率が互いに異なる部分を含んでもよい。一例としてマスク画像は、遮光率が段階的に変化する部分を有してもよい。
【００４０】
この例では、マスク画像生成部３３は、マスク画像データとして、多値（グレイスケール）の画像データを生成する。この例では各画素が遮光率（光の透過率）を表すものとなる。具体的にマスク画像の各画素が０から２５５までの８ビットのスケールで表される場合、画素値が「０」である部分には遮光性を有する色（例えば白色）を形成せず（すなわち遮光率が０％、光の透過率が１００％であるものとし）、画素値が「２５５」である部分は白色を最大の濃度で形成する（すなわち遮光率がα％、光の透過率が（１００−α）％とする、ただしα＞０である）ものとする。また、画素値がこれらの間の値ｘであれば、当該値に応じた濃度（ｘ／２５５（分母は画素値の最大値））で白色等、遮光性を有する色を形成するようにしてもよい。
【００４１】
一例としてマスク画像生成部３３は、第１または第２の画像の有意な部分に対応する画素を有意画素とした基本マスク画像データを生成した後、基本マスク画像データを表示部１４に表示出力して、利用者の指示操作により基本マスク画像データの一部の画素値を０から２５５までの間の値に設定する。例えば利用者が、画像データの上方に向かってマスク画像データの画素値を「２５５」から「０」まで段階的に変化させるように指示すると、マスク画像生成部３３は、当該指示に従って、下方から上方に向かって画素値が「２５５」から「０」まで段階的に変化し、基本マスク画像データと同じ外形状を有する画像を表すマスク画像データが得られる。この指示操作及び処理は一般的な画像処理ソフトウエアでグラデーションの画像を生成する指示操作及び処理と同様であるので、ここでの詳しい説明を省略する。
【００４２】
この例によると、例えば第１，第２の画像の一部に透明感を与え、背景に溶け込むような演出が可能となる。
【００４３】
［マスク画像に重なり合わない部分を形成する例］
また、ここまでの例では、マスク画像は、第１，第２の画像の有意部分の全体を含む形状を有するものとしていたが、本実施の形態はこれに限られない。例えば第１または第２の画像のいずれかの有意部分にマスク画像が積層されていない部分があってもよい。
【００４４】
この例では、マスク画像生成部３３は、第１または第２の画像の有意な部分に対応する画素を有意画素とした基本マスク画像データを生成した後、基本マスク画像データを表示部１４に表示出力して、利用者の指示操作により基本マスク画像データの一部の有意画素を削除（有意でない画素に設定）する。
【００４５】
これにより、第１の画像の有意部分の一部が、マスク画像と重なり合わない状態となる。このとき当該第１の画像の一部（及び対応する位置にある第２の画像の一部）は透けて、背面からの光透過により色彩感が低下して視認されることとなる。一方、第１の画像の有意部分のうちマスク画像と重なり合う部分は、背面からの光透過がマスク画像によって遮光され、色彩感が低下することなく視認される。この例において、例えば文字部分にはマスク画像を重ね合わせ、背景にはマスク画像を重ね合わせずに第１の画像を形成しておく（第２の画像についてはその有意部分の全体にマスク画像が重なりあうようにマスク画像が形成されているものとする）と、透け感のある背景に文字部分が浮き上がって見えるような演出が可能となる。また、このとき、マスク画像を多値の画像としておくと、背景部分に透け感のグラデーションを施すことも可能となる。
【００４６】
さらに、このマスク画像に重なり合わない画像（透過画像と呼ぶ）は、第１，第２の画像とは別の版として媒体上に形成されてもよい。この場合、この透過画像の形成は、第１の画像、マスク画像、第２の画像のそれぞれを形成する段階のどの段階で形成してもよい。例えば透過画像は、第１の画像よりも前に形成されてもよい。また、最後に（第２の画像の形成後に）形成されてもよい。
【００４７】
［のぼりの例］
本実施の形態の印刷物は、透明感の演出が要求されるものであれば、いかなるものであってもよいが、複数の媒体を重ね合わせるものとは異なり、シート状の媒体を単体で用いる（一枚の媒体を単体で用いる）ような、例えばのぼりや、横断幕、垂れ幕等において効果的に用いることができる。
【００４８】
のぼりや横断幕、垂れ幕として用いる場合には、竿等に通す部分（いわゆるチチなど）を媒体１の外周部に設ける。この際のチチは、透光性を有する材質を用いて形成することとしてもよい。またチチの取り付けは、縫い付けやホック・リベットなどの締結具を用いる方法、さらに媒体のチチを設ける箇所を凸形状に断ち切って、当該凸形状を折り曲げて先端部を媒体の本体側に融着する等種々の方法を採用できる。
【００４９】
［実施形態の効果］
本実施の形態の印刷物によると、透光性を維持しつつ、形成した画像の視認性を向上でき、また部分的に透過画像を形成したり、グラデーションを適用したりでき、印刷物の演出の自由度を向上できる。さらに透光性のある範囲を残すことで、例えば背景に建物の外壁や樹木等をそのまま用いたりでき、標識等を覆い隠すこともないので設置場所の自由度も高められる。
【符号の説明】
【００５０】
１  媒体、１０  画像データ処理装置、１１  制御部、１２  記憶部、１３  操作部、１４  表示部、１５  インタフェース部、２０  プリンタ、３１  データ受入部、３２  画像配置部、３３  マスク画像生成部、３４  出力部、１００  第１形成層、２００  マスク形成層、３００  第２形成層。
【図１】
2018029284.tif 000003
【図２】
2018029284.tif 000004
【図３】
2018029284.tif 000005
【図４】
2018029284.tif 000006
【図５】
2018029284.tif 000007
【図６】
2018029284.tif 000008
【図７】
2018029284.tif 000009
【図８】
2018029284.tif 000010